(57)【要約】【課題】ダイレクト出力を設定する操作を簡易にする。【解決手段】ダイレクト出力設定画面を表示させ、入力チャンネル番号１にカーソルを置いて、入力チャンネル１をダイレクト出力する出力ポート番号を選択する。エンターキーを操作して、入力チャンネル１をダイレクト出力する出力ポート番号を確定した際に、ＤＯＬスイッチ２５がオンされていた場合は、入力チャンネル１は自動的に設定された出力ポートに結線されるようになる。この場合の設定は、出力ポートに設定されていた出力パッチ設定に優先する。【選択図】  図８
2005072704.tif 000002
【特許請求の範囲】
【請求項１】
複数の入力チャンネルからの出力をミキシングするバスを備えるミキシングバス手段と、
該ミキシングバス手段からのミキシング出力が供給される複数の出力チャンネルと、
それぞれ１つの信号を出力可能な複数の出力ポートと、
前記複数の出力ポートの各出力ポート毎に、前記複数の出力チャンネルのうちの１つの出力チャンネルを、当該出力ポートへの信号の入力元として設定する出力パッチ設定手段と、
前記複数の入力チャンネルの各入力チャンネル毎に、前記複数の出力ポートのうちの１つの出力ポートを当該入力チャンネルの信号を出力する出力先として設定するダイレクト出力設定手段と、
前記複数の入力チャンネルの各入力チャンネル毎に、前記ダイレクト出力設定手段で設定されるダイレクト出力をオン指定ないしオフ指定する第１スイッチ手段と、
前記複数の入力チャンネルのうちの前記ダイレクト出力がオン指定されている各入力チャンネルを、前記ダイレクト出力設定手段の設定により当該入力チャンネルの出力先として指定されている出力ポートにダイレクト結線するとともに、前記複数の出力ポートのうちの該ダイレクト結線により結線されていない各出力ポートを、前記出力パッチ設定手段の設定により当該出力ポートの入力元として設定されている出力チャンネルとパッチ結線する出力パッチ手段と、
を備えるようにしたことを特徴とするミキシング装置。
【請求項２】
前記ダイレクト出力設定手段では、既に前記複数の入力チャンネルのうちの何れかの入力チャンネルにおいて出力先として設定されている出力ポートに関しては、他の入力チャンネルの出力先として設定できないようになされていることを特徴とする請求項１記載のミキシング装置。
【請求項３】
前記ダイレクト出力設定手段の設定に連動して前記第１スイッチ手段を制御するリンク機能のオンあるいはオフを指定する第２スイッチ手段と、
前記第１スイッチ手段を制御するリンク手段とを、さらに備え、
前記ダイレクト出力設定手段は、各出力チャンネルに対して何れかの出力ポートを出力先として設定あるいは出力先なしを設定することが可能とされ、前記リンク機能がオン指定されている場合、前記リンク手段は、何れかの入力チャンネルで前記ダイレクト出力設定手段において前記出力先なし以外の設定が行われたことに応じて、当該入力チャンネルのダイレクト出力がオン指定となるよう前記第１スイッチ手段を制御するようにしたことを特徴とする請求項１記載のミキシング装置。
【請求項４】
前記ダイレクト出力設定手段の設定に連動して前記第１スイッチ手段を制御するリンク機能のオンあるいはオフを指定する第２スイッチ手段と、
前記第１スイッチ手段を制御するリンク手段とを、さらに備え、
前記ダイレクト出力設定手段は、各出力チャンネルに対して何れかの出力ポートを出力先として設定、あるいは、出力先なしを設定することが可能とされ、前記リンク機能がオン指定されている場合、前記リンク手段は、何れかの入力チャンネルで前記ダイレクト出力設定手段において前記出力先なし以外の一の設定から出力先なし以外の他の設定に設定が変更されたことに応じて、当該入力チャンネルのダイレクト出力がオン指定となるよう前記第１のスイッチ手段を制御するようにしたことを特徴とする請求項１記載のミキシング装置。
【請求項５】
前記リンク手段は、前記リンク機能がオン指定されている場合であって、何れかの入力チャンネルで前記ダイレクト出力設定手段において前記出力先なしの設定が行われたことに応じて、当該入力チャンネルのダイレクト出力がオフ指定となるよう前記第１のスイッチ手段を制御するものであることを特徴とする請求項３ないし請求項４記載のミキシング装置。
【発明の詳細な説明】
【０００１】
【発明が属する技術分野】
この発明は、入力チャンネルから出力ポートへダイレクトへ出力することのできるミキシング装置に関する。
【０００２】
【従来の技術】
従来、多数のマイクロホンあるいは電気・電子楽器などから出力される信号のレベルや周波数特性を調整し、ミキシングしていくつかのミキシング・グループにまとめてパワーアンプや各種録音機器に送り出したり、エフェクタや演奏しているプレーヤに送り出すミキシング装置が知られている。ミキシング装置を操作するオペレータは、楽器音や歌唱の各オーディオ信号の音量や音色を、ミキシング・コンソールにおける各種パネル操作子を操作することにより、演奏を最もふさわしく表現していると思われる状態に調整している。ミキシング装置は、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。各出力チャンネルはミキシングバスから入力する信号のレベルを制御して出力する。
【０００３】
【発明が解決しようとする課題】
扱う信号をディジタル信号とするディジタルミキサには、ミキシング出力を出力する出力チャンネルからの出力を、出力ポートのいずれに出力するかを任意に設定することのできる出力パッチを備えているディジタルミキサがある。このようなディジタルミキサでは、各入力チャンネルからの出力信号は選択的にミキシングバスへ供給され、各ミキシングバスでは、入力チャンネルから供給される信号がミキシングされて、ミキシングされた信号が当該バスに対応して設けられた出力チャンネルに供給されている。各出力チャンネルは、その出力信号を出力パッチに供給しており、出力パッチには、信号の入力元として複数の出力チャンネルと複数の入力チャンネルとが接続されており、また、信号の出力先として複数の出力ポートが接続されている。この出力パッチでは、各出力ポート毎に、その出力ポートへ出力する信号の供給源として、複数の出力チャンネルと複数の入力チャンネルの何れか１つが接続可能とされている。
【０００４】
出力パッチでは、各出力ポート毎に、その出力ポートへの信号の供給源として複数の出力チャンネルあるいは複数の入力チャンネルの何れか１つを設定することができる。この場合、出力チャンネルあるいは入力チャンネルを設定しない出力ポートがあってもよい。このような設定が行われると、出力パッチでは、各出力ポートに対して設定に応じた結線が行われる。すなわち、出力ポートの入力元として出力チャンネルを設定する出力チャンネル設定、あるいは、出力ポートの入力元として入力チャンネルを設定するダイレクト出力設定に従って、出力チャンネルあるいは入力チャンネルと出力ポートとの間の結線が行われる。出力ポートの入力元として入力チャンネルを設定することができるダイレクト出力は、例えば、ある入力チャンネルの信号をミキシングせずに出力してそのままマルチトラックレコーダに録音する場合や、ミキシングバスが他のミキシングに全部使われている状態である入力チャンネルの信号を外部に出力したい場合に使用される。
【０００５】
ところで、各出力ポートには、出力チャンネルおよび入力チャンネルのいずれか１つしか設定することができないことから、出力チャンネルを設定してある出力ポートに、入力チャンネルを入力元として設定するダイレクト出力の設定をする際には、出力ポートに入力元として設定されている出力チャンネルの設定を解除した上で、出力ポートに入力元として入力チャンネルを設定することが必要となる。このため、ダイレクト出力の設定を容易に行えないという問題点があった。
また、ダイレクト出力を一時的に利用できるようにするためには、ダイレクト出力を素早くオン／オフできた方がよい。しかしながら、上記のようにダイレクト出力の設定が非常に煩雑になってしまうことから、ダイレクト出力を素早くオン／オフすることができないという問題点があった。
【０００６】
そこで、本発明は、出力ポートの入力元として入力チャンネルが設定されるダイレクト出力を素早くオン／オフすることができると共に、ダイレクト出力の設定を容易に行うことができるミキシング装置を提供することを目的としている。
【０００７】
【課題を解決するための手段】
上記目的を達成するために、本発明のミキシング装置は、複数の出力ポートの各出力ポート毎に、複数の出力チャンネルのうちの１つの出力チャンネルを、当該出力ポートへの信号の入力元として設定する出力パッチ設定手段と、複数の入力チャンネルの各入力チャンネル毎に、複数の出力ポートのうちの１つの出力ポートを当該入力チャンネルの信号を出力する出力先として設定するダイレクト出力設定手段と、複数の入力チャンネルの各入力チャンネル毎に、ダイレクト出力をオン指定ないしオフ指定する第１スイッチ手段とを備えている。そして、出力パッチ手段は、第１スイッチ手段によりダイレクト出力がオン指定されている各入力チャンネルについては、ダイレクト出力設定手段の設定により当該入力チャンネルの出力先として指定されている出力ポートにダイレクト結線するとともに、複数の出力ポートのうちのダイレクト結線されていない各出力ポートを、出力パッチ設定手段の設定により当該出力ポートの入力元として設定されている出力チャンネルとパッチ結線するようにしている。これにより、第１スイッチ手段を操作してダイレクト出力をオン指定／オフ指定することにより、素早くダイレクト出力をオン／オフすることができると共に、ダイレクト出力の設定を容易に行うことができるようになる。
【０００８】
また、ダイレクト出力設定手段の設定に連動して第１スイッチ手段を制御するリンク機能のオンないしオフを指定する第２スイッチ手段を設け、この第２スイッチ手段によりリンク機能をオンすることにより、出力先なし以外のダイレクト出力の設定が行われた際に自動的にダイレクト出力をオンとすることができる。さらに、ダイレクト出力設定手段において出力先なし以外の一の設定から出力先なし以外の他の設定に設定が変更されたことに応じて、自動的に当該入力チャンネルのダイレクト出力をオンすることができるようになる。さらにまた、ダイレクト出力設定手段において出力先なしの設定が行われた際には、自動的にダイレクト出力をオフすることができるようになる。
【０００９】
【発明の実施の形態】
本発明のミキシング装置の実施の形態であるディジタルミキサの構成を示すブロック図を図１に示す。
図１に示す本発明の実施の形態に係るディジタルミキサ１において、ディジタルミキサ１の全体の動作を制御すると共に、ミキシング用の操作子の操作に応じて制御信号を生成しているＣＰＵ（Ｃｅｎｔｒａｌ  Ｐｒｏｃｅｓｓｉｎｇ  Ｕｎｉｔ）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Ｒａｎｄｏｍ  Ａｃｃｅｓｓ  Ｍｅｍｏｒｙ）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してディジタルミキサ１に接続される。
【００１０】
信号処理部１５は多数のＤＳＰ（Ｄｉｇｉｔａｌ  Ｓｉｇｎａｌ  Ｐｒｏｃｅｓｓｏｒ）を用いて構成されており、ＣＰＵ１０の制御の元でミキシング処理やエフェクト処理などを行っている。さらに、ディジタルミキサ１の全ての入力と全ての出力は波形Ｉ／Ｏ（波形データインタフェース）１４で行われる。この波形Ｉ／Ｏ１４は、入力用として外部から入力するアナログ信号をディジタル信号に変換するＡＤ変換器を備えたアナログ入力ポートを３２個、外部からディジタル信号を入力するディジタル入力ポートを８個備えており、出力用としてディジタル信号をアナログ信号に変換するＤＡ変換器を備えたアナログ出力ポートを１６個（オムニ８ポート、モニタ４ポートを含む）を備えている。波形Ｉ／Ｏ１４は更に６つのカードスロットを備えており、当該カードスロットに増設カードを装着することにより入力ポートや出力ポートを増設することができる。例えば、増設カードとして４ポートのアナログ入力カードが装着された場合は、アナログ入力ポートが４ポート増設される。４ポートのアナログ出力カードが装着された場合は、アナログ出力ポートが４ポート増設される。８ポートのディジタルＩ／Ｏカードが装着された場合は、ディジタル入力ポートとディジタル出力ポートがそれぞれ８ポート増設される。１６ポートのディジタルＩ／Ｏカードが装着された場合は、ディジタル入力ポートとディジタル出力ポートがそれぞれ１６ポート増設される。
【００１１】
表示器１６は、後述する出力パッチの設定画面やダイレクト出力の設定画面等を表示する液晶表示装置等からなるディスプレイである。電動フェーダ１７は、後述するミキシングバス（ＭＩＸバス）やＡＵＸバスへ送り出される信号の出力レベルや、それらのバスから出力された信号の出力レベルを調整するフェーダであり、手動および電動により調整することができる。操作子１８は、表示器１６における表示選択用スイッチ、各入力チャンネルのミキサバス設定スイッチおよびダイレクト出力設定スイッチからなるルーティングスイッチ、表示器１６に表示されるカーソルを移動するカーソル移動キー、設定される値を選択するロータリエンコーダ、設定した値を確定させるエンターキー等からなる操作子である。
【００１２】
本発明にかかるディジタルミキサ１におけるパネルの外観の概略を図２に示す。
図２において、表示器１６の左側には多数のスイッチからなる表示選択用スイッチ２０が設けられており、この表示選択用スイッチ２０を操作することにより、表示器１６に種々の値を設定する設定画面やメニュー画面を表示することができる。また、表示器１６の右側には、選択スイッチ１７ａで選択された入力チャンネルの出力を制御するＭＩＸバス設定スイッチ２１ａと、ダイレクト出力設定スイッチ２１ｂからなるルーティングスイッチ２１が設けられている。このルーティングスイッチ２１におけるＭＩＸバス設定スイッチ２１ａは、１〜８までのスイッチからなり、該選択された入力チャンネルから８本あるＭＩＸバスの出力を各バス毎にオン／オフすることができる。また、ダイレクト出力設定スイッチ２１ｂは、該選択された入力チャンネルに対して設定されている後述するダイレクト出力をオン／オフするスイッチとされている。
【００１３】
表示器１６の下側には、全入力チャンネルに対応しており各チャンネルのレベルを制御する電動フェーダ１７ないし入力チャンネルより少ない数とされて一部の入力チャンネルが割り当てられており、割り当てられた入力チャンネルのレベルを制御する電動フェーダ１７が設けられている。電動フェーダ１７には、その電動フェーダ１７の制御している入力チャンネルを選択する選択スイッチ（ＳＥＬ）１７ａと、その入力チャンネルをソロモードとするソロスイッチ１７ｂと、その入力チャンネルをオン／オフするチャンネルスイッチ１７ｃとが設けられている。また、表示器１６に表示されるカーソルを上下左右に移動させるカーソル移動キー２２と、種々の設定する値を選択することのできるロータリエンコーダ２３と、ロータリエンコーダ２３により選択された設定値を確定させるエンターキー２４とが設けられている。なお、ＳＷ１〜ＳＷ４のタブ選択スイッチ２６は、表示器１６に表示される表示内容を切り替えるためのタブを選択するスイッチである。
【００１４】
次に、本発明にかかる図１に示す構成のディジタルミキサ１においてミキシング処理が行われる等価的な機能ブロック図を図３に示す。
図３において、複数のアナログ入力ポートを備えるアナログ入力部（Ａ入力）４０に入力されたアナログ信号は、内蔵されているＡＤ変換器によりディジタル信号に変換されて入力パッチ４３に入力される。また、複数のディジタル入力ポートを備えるディジタル入力部（Ｄ入力）４１に入力されたディジタル信号は、入力パッチ４３に入力される。さらに、ディジタルミキサ１には、例えば８個のエフェクタからなる内蔵エフェクタ４２が用意されているが、この内蔵エフェクタ４２によりエフェクトの付与された信号も入力パッチ４３に入力される。ここで、内蔵エフェクタ４２の各エフェクタは、当該エフェクタへの複数の信号の入力部としての仮想的な複数のディジタル出力ポートと、当該エフェクトにより効果の付与された複数の信号の出力部としての仮想的な複数のディジタル入力ポートとを有している。
【００１５】
入力パッチ４３では、信号の入力元である複数の入力ポートの何れか１つの入力ポートを、例えば９６チャンネルとされる複数の入力チャンネル部４４の各入力チャンネル毎に選択的にパッチ（結線）することができ、各入力チャンネルには、入力パッチ４３でパッチされた入力ポートからの信号が供給される。入力チャンネル部４４における各入力チャンネルには、ノイズゲート、コンプレッサ、ディレイ、フェーダ、ＭＩＸバス４５およびＡＵＸバス４６へのレベル調整部が備えられており、これらの入力チャンネルにおいて、周波数特性およびＭＩＸバス４５およびＡＵＸバス４６へ出力されるレベルが制御される。入力チャンネル部４４から出力される９６チャンネルのディジタル信号は、それぞれ８本のミキシングバス（ＭＩＸバス）４５の１ないし複数に選択的に出力されると共に、１２本のＡＵＸバス４６の１ないし複数に選択的に出力される。さらに、入力チャンネル部４４から出力される９６チャンネルのディジタル信号は、ダイレクトに出力パッチ４９に出力される。
【００１６】
ＭＩＸバス４５においては、８本の各バスにおいて、９６入力チャンネルのうちの任意のチャンネルから選択的に入力された１ないし複数のディジタル信号がミキシングされて、合計８チャンネルのＭＩＸ出力がＭＩＸ出力チャンネル部（ＭＩＸ出力ｃｈ）４７に出力されている。これにより、８通りにミキシングされた８チャンネルのＭＩＸ出力を得ることができる。このＭＩＸバス４５からの出力を最終出力として使用する場合が多い。また、ＡＵＸバス４６においては、１２本の各バスにおいて、９６入力チャンネルのうちの任意のチャンネルから選択的に入力された１ないし複数のディジタル信号がミキシングされて、合計１２チャンネルのＡＵＸ出力がＡＵＸ出力チャンネル部（ＡＵＸ出力ｃｈ）４８に出力されている。これにより、最大１２通りにミキシングされた１２チャンネルのＡＵＸ出力を得ることができる。このＡＵＸバス４６からの出力が、例えば中間的な出力として内蔵エフェクタ４２へ送られる。ＭＩＸ出力チャンネル部４７およびＡＵＸ出力チャンネル部４８は、イコライザ、コンプレッサ、ディレイ、フェーダ等が備えられている８チャンネルあるいは１２チャンネルの出力チャンネルから構成されている。
【００１７】
ＭＩＸ出力チャンネル部４７から出力される８チャンネルのＭＩＸ出力と、ＡＵＸ出力チャンネル部４８から出力される１２チャンネルのＡＵＸ出力とは、出力パッチ４９に供給されている。出力パッチ４９では、信号の入力元であるＭＩＸ出力チャンネル部４７の８チャンネルとＡＵＸ出力チャンネル部の１２チャンネルと入力チャンネル部４４の９６チャンネルの何れか１つのチャンネルを、複数の出力ポートの各出力ポート毎に選択的にパッチ（結線）することができ、各出力ポートには、出力パッチ４９でパッチされたチャンネルからの信号が供給される。内蔵エフェクタ４２では、リバーブ、エコーやコーラスのエフェクトがディジタルオーディオ信号に付加される。この内蔵エフェクタ４２も、信号処理部１５を構成しているＤＳＰにより実現されている。なお、内蔵エフェクタ４２には、ディジタル出力ポートを介して出力パッチ４９からの信号が入力され、該信号にエフェクトを付与した出力をディジタル入力ポートを介して入力パッチ４３に戻すことができるものとされている。
【００１８】
また、複数のアナログ出力ポートを備えるアナログ出力部（Ａ出力）５０へ供給されたディジタル出力信号は、複数のアナログ出力ポートを備えるアナログ出力部（Ａ出力）５０に内蔵されているＤＡ変換器によりアナログ出力信号に変換される。そして、複数のアナログ出力ポートを備えるアナログ出力部（Ａ出力）５０から出力されるアナログ出力信号は、増幅されてスピーカから放音される。また、複数のディジタル出力ポートを備えるディジタル出力部（Ｄ入力）５１から出力されるディジタルオーディオ信号は、マルチトラックレコーダやＤＡＴ等に供給されてディジタル録音することができるようにされている。
【００１９】
また、ディジタルミキサ１においては、ＭＩＸ出力チャンネル部４７およびＡＵＸ出力チャンネル部４８における（８＋１２）チャンネルの出力チャンネルのいずれか１つないし複数を、選択的にモニタすることができる。いずれの出力信号をモニタするかのモニタ信号の選択は、モニタ用セレクタ５３により行われ、選択されたモニタ信号はモニタ用ミキサ５４においてミキシングされる。次いで、モニタ用アナログ出力部（モニタ用Ａ出力）５５においてアナログ信号に変換されて、モニタ・スピーカあるいはモニタ用のヘッドフォンから出力される。
【００２０】
上述したように、出力パッチ４９では入力チャンネル部４４の各チャンネルの出力をダイレクトに各出力ポートにパッチ（結線）可能であるが、このパッチのことをダイレクト出力と呼ぶ。このダイレクト出力は、ある入力チャンネルの信号をミキシングせずに出力してそのままマルチトラックレコーダに録音する際や、ＭＩＸバス４５やＡＵＸバス４６が他のミキシングに全部使われている状態である入力チャンネルの信号を外部に出力したい場合などに使用される。一方、出力パッチ４９におけるそれ以外のパッチ、すなわち、ＭＩＸ出力チャンネル部４７とＡＵＸ出力チャンネル部４８の各チャンネルから各出力ポートへのパッチを出力パッチと呼ぶ。すなわち、ディジタルミキサ１の出力パッチ４９では、出力パッチに関する出力パッチ設定とダイレクト出力に関するダイレクト出力設定の２つの設定が行われる。
【００２１】
出力パッチ設定をする場合は、表示選択用スイッチ２０を操作して表示器１６に、図７に示す出力パッチ設定画面を表示させる。図７に示す出力パッチ設定画面では、タブ［ＳＬＯＴ１−２］が選択されてＳＬＯＴ１およびＳＬＯＴ２の出力ポートの出力パッチ設定を行う出力パッチ設定画面とされている。ＳＬＯＴは上述した波形Ｉ／Ｏ１４の６つのカードスロットのことであり、ＳＬＯＴ１はそのうちの１番目のスロットを示す。スロットに装着される増設カードの備えるポート数は最大１６ポートであるので、この出力パッチ設定ではその１６出力ポートの各出力ポート毎に入力元を設定できるようにされている。１６より少ない出力ポート数の増設カードが装着された場合には、出力ポート番号の若い順にその出力ポート数の設定が使用され、残りの出力ポートの設定は無視される。すなわち、図７に示すように各スロットの出力ポート毎に入力元を設定可能とするためのカーソル枠が設けられており、図７に示す例ではＳＬＯＴ１に装着された増設カードの出力ポート番号「１」のカーソル枠が選択されて、そのカーソルのあるカーソル枠だけが太くあるいは点滅等のように表示態様を替えて表示されており、ＳＬＯＴ１の出力ポート１の入力元を設定することが可能とされている。なお、タブ選択スイッチ２６を操作してタブ［ＳＬＯＴ３−４］、タブ［ＳＬＯＴ５−６］やタブ［ＯＭＮＩ  ＯＵＴ］を選択することにより、ＳＬＯＴ３，４、ＳＬＯＴ５，６の各１６出力ポートあるいはオムニの８出力ポートの出力パッチ設定を行う出力パッチ設定画面が表示器１６に表示される。
【００２２】
図示する例では、ＳＬＯＴ１の出力ポート１の入力元として、ＡＵＸ出力チャンネル部４８の出力チャンネル１（ＡＵＸ１）が設定されているが、ここにカーソルがある状態で、ロータリーエンコーダ２３を操作することにより入力元を任意に選択すること、あるいは非選択（ＮＯＮＥ）とすることができる。ただし、出力パッチ設定においては、入力元として、ＭＩＸ出力チャンネル部４７とＡＵＸ出力チャンネル部４８の全２０チャンネルの中から１つのチャンネルを選択することが可能とされている。なお、図７においてＳＬＯＴ１の出力ポート９には、「ＤＩＲＥＣＴ１」が設定されている。すなわち、ＤＩＲＥＣＴ１で設定されている入力チャンネルのダイレクト出力がオンとされて、出力ポート９ではダイレクト出力設定が出力パッチ設定より優先されていることが示されている。このため、出力ポート９のカーソル枠にカーソルを移動してその入力元の設定を変更しようとしてもここではその変更を行うことができず、そのカーソル枠は設定不能枠とされている。なお、各種設定画面におけるカーソルは、カーソル移動キー２２を操作することにより前後左右に移動させることができる。
【００２３】
ダイレクト出力設定をする場合は、表示選択用スイッチ２０を操作して表示器１６に、図８に示すダイレクト出力設定画面を表示させる。図８に示すダイレクト出力設定画面は、入力チャンネル１〜入力チャンネル４８の４８チャンネル分の入力チャンネルのダイレクト出力設定を行う画面とされている。そして、タブ選択スイッチ２６を操作してタブ［Ｄ．ＯＵＴ４９−９６］を選択すると、入力チャンネル４９〜入力チャンネル９６の４８チャンネル分の入力チャンネルのダイレクト出力設定を行うダイレクト出力設定画面が表示器１６に表示される。ダイレクト出力設定は、入力チャンネル毎にダイレクトに出力する出力ポートを設定することができる。このため、図８に示すように入力チャンネル番号１〜４８毎にカーソル枠が設定され、現在カーソルのあるカーソル枠だけが太くあるいは点滅等のように表示態様を替えて表示されるようになっている。
【００２４】
図８に示す例では入力チャンネル１が選択されて、入力チャンネル１の出力ポートとして出力ポート番号「Ｓ１−０１」が選択されている。出力ポート番号「Ｓ１−０１」は、ＳＬＯＴ１に装着された増設カードの出力ポート１を示している。また、「ＮＯＮＥ」が設定されている入力チャンネルには、ダイレクト出力の出力先が選択されていないこと、すなわち非選択状態を示している。ここで、ロータリエンコーダ２３を操作することによりカーソルにより選択されている入力チャンネルのダイレクト出力先を任意に選択すること、あるいは非選択とすることができ、選択後にエンターキー２４を操作することにより選択した出力ポートないし非選択の状態を確定することができる。ただし、ダイレクト出力設定では、出力先として、オムニの８出力ポートないし増設カードにより増設される出力ポートの中から１つのポートを選択することが可能である。このようにダイレクト出力設定では、各入力チャンネル毎にいずれかの出力ポートを設定できるようにされている。
【００２５】
さらに、１つの入力チャンネルにおいてダイレクト出力設定の操作が行われた際に、その操作に関連して該入力チャンネルのダイレクト出力のオン／オフの設定を変更するダイレクト出力リンクスイッチ（ＤＯＬスイッチ）２５が、図８に示すように設けられている。このＤＯＬスイッチ２５にカーソルを合わせてＤＯＬスイッチ２５をオンさせた状態において、例えば、入力チャンネル１の出力先として出力ポート「Ｓ１−０１」を新規設定すると、それに連動して入力チャンネル１のダイレクト出力がオンされる。この場合、出力パッチ４９では、出力ポートＳ１−０１における出力パッチの設定に優先して、入力チャンネル１から出力ポートＳ１−０１へのダイレクト出力のパッチが行われる。なお、ＤＯＬスイッチ２５はダイレクト出力設定画面にあるのが便利ではあるが、その他の設定画面や図２に示すパネル上に設けるようにしてもよい。
【００２６】
次に、本発明にかかるディジタルミキサ１において実行されるダイレクト出力設定イベント処理のフローチャートを図４に示す。ただし、各フローにおける変数ＩＣＮ、ＯＣＮ、ＯＰＮは、それぞれ入力チャンネル、出力チャンネル、出力ポートの番号を示している。ここで、出力チャンネルと出力ポートには各々複数種類があるが、通し番号が付与されているものとする。また、変数ＯＰ（ＯＰＮ）は各出力ポートＯＰＮの出力パッチの設定を、変数ＤＯＰ（ＩＣＮ）は各入力チャンネルＩＣＮのダイレクト出力の設定を、変数ＤＯＥ（ＩＣＮ）は各入力チャンネルのダイレクト出力のオン／オフを、ＤＯＬはダイレクト出力リンクのオン／オフを示している。
【００２７】
図８に示すダイレクト出力設定の画面を表示器１６に表示させ、パネル上の選択スイッチ（ＳＥＬ）１７ａないしカーソル移動キー２２によりカーソルを所望の入力チャンネルのカーソル枠に移動し、ロータリーエンコーダ２３を操作して所望の出力ポートを選択してエンターキー２４を操作して確定させると、図４に示すダイレクト出力設定イベント処理が開始される。ここで、ロータリーエンコーダー２３では、既に他の何れかの入力チャンネルでダイレクト出力の出力先として設定されている出力ポートを除く出力ポートが、当該入力チャンネルの出力先として選択可能である。ダイレクト出力設定イベント処理が開始されると、ステップＳ１０にてカーソル位置の入力チャンネルの番号がＩＣＮとされ、確定された出力ポートの番号がＯＰＮとされる。次いで、ステップＳ１１にて出力ポート番号ＯＰＮが“０”、すなわち、出力ポートの非選択が設定されたか否かが判断される。ここで、非選択（ＯＰＮ＝０）と判断された場合は、ステップＳ１２に進んでダイレクト出力設定（ＤＯＰ（ＩＣＮ））に“０”、すなわちＮＯＮＥと設定される。次いで、ステップＳ１３にて当該入力チャンネルＩＣＮにおけるダイレクト出力がオン（ＤＯＥ（ＩＣＮ）＝１）とされているか否かが判断される。ここで判断されるダイレクト出力のオン／オフ設定は当該入力チャンネルのその時点における設定状態であり、ダイレクト出力設定スイッチ２１ｂにより設定されたものである。ここで、当該入力チャンネルＩＣＮにおけるダイレクト出力がオフ（ＤＯＥ（ＩＣＮ）＝０）とされていると判断された場合は、もともとダイレクト出力を行わない設定になっていたということなので、そのままダイレクト出力設定イベント処理を終了する。
【００２８】
また、ステップＳ１３にて当該入力チャンネルＩＣＮにおけるダイレクト出力がオン（ＤＯＥ（ＩＣＮ）＝１）とされていると判断された場合は、ステップＳ１４に分岐してダイレクト出力リンクのオン／オフ設定がオン（ＤＯＬ＝１）とされているか否かが判断される。ここで判断されるダイレクト出力リンクの設定はその時点における設定状態であり、ＤＯＬスイッチ２５により設定されたものである。ここで、ダイレクト出力リンクがオンされていると判断された場合は、ステップＳ１５に進む。ステップ１５では、ダイレクト出力設定ＤＯＰ（ＩＣＮ）が“０”（ＮＯＮＥ）に設定されたことに連動させて、当該入力チャンネルのダイレクト出力ＤＯＥ（ＩＣＮ）をオフする。次いで、ステップＳ１６にて出力パッチ設定により設定されている出力パッチ設定（ＯＰ（ＯＰＮ））に従って、出力パッチ４９の結線を行う。ステップＳ１６の実行開始時点で、出力パッチ４９において当該入力チャンネルのダイレクト出力設定が何れかの出力ポートの出力パッチ設定に優先されていた場合は、該出力ポートの出力パッチ設定が復活することになる。なお、ステップＳ１４にてダイレクト出力リンクがオフされていると判断された場合は、ステップＳ１６にジャンプし、ステップＳ１６にて上記した処理が行われる。
【００２９】
また、ステップＳ１１にて出力先として何れかの出力ポートの番号が設定されていると判断された場合は、ステップＳ１７に分岐して当該入力チャンネルのダイレクト出力設定（ＤＯＰ（ＩＣＮ））が“０”と設定されていたか否かが判断される。ここで判断されるダイレクト出力設定はその時点における設定状態であり、ダイレクト出力設定（ＤＯＰ（ｌＣＮ））が“０”に設定されていたと判断されると、ステップＳ１８に分岐する。ステップＳ１８では、ダイレクト出力リンクのオン／オフ設定がオン（ＤＯＬ＝１）とされていたか否かが判断される。ここで判断されるダイレクト出力リンクの設定はその時点における設定状態であり、ダイレクト出力リンクがオンに設定されていたと判断された場合は、ステップＳ１９に進む。ステップＳ１９では、ステップＳ１１とステップＳ１７における分岐の条件、すなわち、「当該入力チャンネルのダイレクト出力の出力先が、非選択の状態（ＮＯＮＥ）から新たに何れかの出力ポートに変更された」ことに連動して、当該チャンネルのダイレクト出力をオンに設定する（ＤＯＥ（ＩＣＮ）←１）。
【００３０】
ステップＳ１７にてダイレクト出力設定（ＤＯＰ（ＩＣＮ））が”０”（ＮＯＮＥ）に設定されていなかったと判断された場合、ステップＳ１８にてダイレクト出力リンクがオフされていると判断された場合、ステップＳ１９の処理が終了した場合はステップＳ２０に進む。ステップＳ２０では、ステップＳ１０にて取り込まれた出力ポート番号ＯＰＮが、当該入力チャンネルにおけるダイレクト出力設定（ＤＯＰ（ＩＣＮ））の出力ポート番号として設定される。次いで、ステップＳ２１にて当該入力チャンネルのダイレクト出力がオンである（ＤＯＥ（ＩＣＮ）＝１）か否かが判断される。ここで、オンであると判断された場合は、ステップＳ２２に進んで当該入力チャンネルのダイレクト出力設定（ＤＯＰ（ＩＣＮ））に従って出力パッチ４９の結線を行う。これにより、当該入力チャンネルは設定された出力ポートにダイレクト出力されるようになる。この場合、出力ポートＯＰＮの出力パッチ設定による既存の結線は解除される。また、ステップＳ２１にてダイレクト出力（ＤＯＥ（ＩＣＮ））がオフとされていると判断された場合は、ダイレクト出力は行わないのでそのままダイレクト出力設定イベント処理は終了する。
【００３１】
ここで、ステップＳ２１にてダイレクト出力がオフ（ＤＯＥ（ＩＣＮ）＝０）と判断される場合とは、当該入力チャンネルのダイレクト出力設定ＤＯＰ（ＩＣＮ）がもともとＮＯＮＥ以外であり、かつ、ダイレクト出力がオフ（ＤＯＥ（ＩＣＮ）＝０）であった場合と、当該入力チャンネルのダイレクト出力設定ＤＯＰ（ＩＣＮ）がＮＯＮＥから何れかの出力ポートに変更されたが、ダイレクト出力がオフ（ＤＯＥ（ＩＣＮ）＝０）かつダイレクト出力リンクがオフ（ＤＯＬ＝０）であった場合の何れかである。
以上の実施例では、ダイレクト出力リンクがオン（ＤＯＬ＝１）のときに入力チャンネルのダイレクト出力先の設定が非選択（ＮＯＮＥ）から何れかの出力ポートに変更されることが、当該入力チャンネルのダイレクト出力を連動してオンするため条件となっていたが、その代わりに、入力チャンネルのダイレクト出力先として何れかの出力ポート（ＮＯＮＥ以外）が設定されることを連動の条件としてもよい。この変更は、図４のダイレクト出力設定イベント処理において、破線のようにステップＳ１１のＮＯの分岐後にステップＳ１７の処理を行わず直ちにステップＳ１８を実行することで実現できる。
【００３２】
次に、本発明にかかるディジタルミキサ１において実行される出力パッチ設定イベント処理のフローチャートを図５に示す。
この出力パッチ設定イベント処理は、図７に示す出力パッチ設定の画面を表示器１６に表示させ、カーソル移動キー２２によリカーソルを何れかの出力ポート番号のカーソル枠に移動し、ロータリーエンコーダ２３を操作して所望の入力元である出力チャンネルの番号を選択してエンターキー２４を操作して確定させると、図５に示す出力パッチ設定イベント処理が開始される。出力パッチ設定イベント処理が開始されると、ステップＳ３０にて選択された出力チャンネル番号がＯＣＮとされ、選択されている出力ポート番号がＯＰＮとされる。次いで、ステップＳ３１にて今回選択された出力チャンネル番号ＯＣＮが選択されている出力ポートＯＰＮに設定される出力パッチ設定（ＯＰ（ＯＰＮ））が行われる。
【００３３】
そして、ステップＳ３２にて、ＤＯＰ（ＩＣＮ）＝ＯＰＮとされるダイレクト出力設定ＤＯＰ（ＩＣＮ）が存在するか否か、すなわち、当該出力ポートＯＰＮを出力先とするダイレクト出力の設定が、何れかの入力チャンネルＩＣＮで行われているか否かが判断される。ここで、出力ポートＯＰＮにダイレクト出力設定された入力チャンネルがないと判断された場合は、ステップＳ３４に進み出力パッチ設定（ＯＰ（ＯＰＮ））に従って、出力パッチ４９の結線が行われて、出力パッチ設定イベント処理は終了する。また、出力ポートＯＰＮにダイレクト出力設定された入力チャンネルがあると判断された場合は、ステップＳ３３に分岐し当該入力チャンネルＩＣＮについてダイレクト出力（ＤＯＥ（ＩＣＮ））がオンに設定されているか否かが判断される。ここで、当該入力チャンネルＩＣＮについてダイレクト出力（ＤＯＥ（ＩＣＮ））がオンに設定されていると判断された場合は、ダイレクト出力設定が優先されているので、そのまま出力パッチ設定イベント処理は終了する。また、当該入力チャンネルＩＣＮについてダイレクト出力（ＤＯＥ（ＩＣＮ））がオンに設定されていないと判断された場合は、ステップＳ３４に分岐し出力パッチ設定（ＯＰ（ＯＰＮ））に従って、出力パッチ４９の結線が行われる。このように、ダイレクト出力がオン（ＤＯＥ（ＩＣＮ）＝１）に設定されている入力チャンネルＩＣＮでダイレクト出力設定されている出力ポート（ポート番号がＤＯＰ（ＩＣＮ）の出力ポート）については出力パッチ４９において出力パッチ設定が有効にならない。なお、当該処理おいて、当該ダイレクト出力が有効となっているポートに関し、出力パッチ設定画面で当該出力ポートにカーソルがある場合に、エンターキー２４を操作しても図５の出力パッチ設定イベント処理が実行されないようにプロテクトしたり、あるいは、出力パッチ設定イベント処理は実行するもののステップＳ３１においてＯＰ（ＯＰＮ）の値を変更しないようにしてもよい。ダイレクト出力が有効な出力ポートでは出力パッチ設定を設定したとしても出力パッチ４９には反映されないので、このように出力パッチ設定画面で当該出力パッチ設定の変更をすることができないようにしたほうがユーザを困惑させないようになる。
【００３４】
次に、本発明にかかるディジタルミキサ１において実行されるダイレクト出力オン／オフイベント処理のフローチャートを図６に示す。
パネル上の選択スイッチ（ＳＥＬ）１７ａで入力チャンネルが選択されている状態で、ダイレクト出力設定スイッチ２１ｂを操作すると、図６に示すダイレクト出力オン／オフイベント処理が開始される。ダイレクト出力オン／オフ設定イベント処理が開始されると、ステップＳ４０にて選択スイッチ１７ａで選択された入力チャンネルの番号がＩＣＮとされる。次いで、ステップＳ４１にて当該入力チャンネルＩＣＮにおけるダイレクト出力（ＤＯＥ（ＩＣＮ））のオン／オフ状態が反転される。これは、ダイレクト出力設定スイッチ２１ｂが、操作される度に状態を反転するトグルスイッチとされているからである。
【００３５】
次いで、ステップＳ４２にて当該入力チャンネルＩＣＮにおけるダイレクト出力設定（ＤＯＰ（ＩＣＮ））が“０”（ＮＯＮＥ）と設定されているか否かが判断される。ここで、当該入力チャンネルＩＣＮにおけるダイレクト出力設定（ＤＯＰ（ＩＣＮ））が“０”（ＮＯＮＥ）と設定されていると判断された場合は、ダイレクト出力（ＤＯＥ（ＩＣＮ））のオン／オフ状態が意味を持たないので、そのままダイレクト出力オン／オフイベント処理は終了する。また、当該入力チャンネルＩＣＮにおけるダイレクト出力設定（ＤＯＰ（ＩＣＮ））が“０”でないと判断された場合は、ステップＳ４３に進み当該入力チャンネルＩＣＮにおけるダイレクト出力（ＤＯＥ（ＩＣＮ））がオンとされたか否かが判断される。ここで、ダイレクト出力（ＤＯＥ（ＩＣＮ））がオンとされたと判断された場合は、ステップＳ４５に分岐して当該入力チャンネルＩＣＮにおけるダイレクト出力設定（ＤＯＰ（ＩＣＮ））に従って、出力パッチ４９の結線が行われる。すなわち、ダイレクト出力設定スイッチ２１ｂの操作により、当該入力チャンネルＩＣＮのダイレクト出力がオンされた場合には、当該入力チャンネルＩＣＮは設定された出力ポートにダイレクト出力されるようになる。この場合、出力パッチ設定による当該出力ポートの既存の結線は解除される。
【００３６】
また、ダイレクト出力（ＤＯＥ（ＩＣＮ））がオフとされたと判断された場合は、ステップＳ４４に進んで、当該入力チャンネルのダイレクト出力設定ＤＯＰ（ＩＣＮ）の示す出力ポートＯＰＮの出力パッチ設定（ＯＰ（ＯＰＮ））に従って、出力パッチ４９の結線を行う。すなわち、ダイレクト出力設定スイッチ２１ｂの操作により、当該入力チャンネルＩＣＮのダイレクト出力がオフされた場合には、当該入力チャンネルＩＣＮのダイレクト出力設定により優先されていた出力パッチ設定が復活することとなる。
上記の説明では、ダイレクト出力リンクスイッチ２５がオンされているとき、ダイレクト出力設定に連動してダイレクト出力がオン／オフされるようになっていたが、必ずしもダイレクト出力のオンとオフの両方を連動させる必要はなく、オンだけを連動させたりオフだけを連動させるようにしてもよい。
【００３７】
【発明の効果】
本発明は以上のように、出力ポート毎に出力チャンネルを設定可能な出力パッチ手段と、入力チャンネル毎に出力ポートを設定してダイレクトに出力するダイレクト出力設定手段とを別々に設け、各入力チャンネル毎に、ダイレクト出力設定手段の設定を出力パッチ手段の設定に優先して有効化するスイッチ手段を設けると共に、１つの出力ポートに出力パッチ設定による出力チャンネルと、ダイレクト出力設定による入力チャンネルとを重複して設定することを可能としている。そして、各入力チャンネルのスイッチ手段を操作することにより、該入力チャンネルのダイレクト出力設定と同ダイレクト出力設定の出力先の出力ポートの出力パッチ設定のいずれかを選択することができるようになる。これにより、ダイレクト出力の設定を簡易に行うことができるようになり、ダイレクト出力のオン／オフを素早く切り替えることができるようになる。
【００３８】
また、ダイレクト出力設定手段による各入力チャンネルのダイレクト出力設定に連動して同入力チャンネルのダイレクト出力のオン／オフを制御するリンク手段を設けると、各入力チャンネルに何れかの出力ポートを示すダイレクト出力設定を行っただけで、その設定された当該入力チャンネルのダイレクト出力設定に従ったダイレクト出力のパッチを有効化することができ、また、非選択を示すダイレクト出力設定を行っただけで、当該入力チャンネルのダイレクト出力を無効化することができるようになる。
【図面の簡単な説明】
【図１】本発明のミキシング装置の実施の形態であるディジタルミキサの構成を示すブロック図である。
【図２】本発明にかかるディジタルミキサにおけるパネルの外観の概略を示す図である。
【図３】本発明にかかる図１に示す構成のディジタルミキサにおいてミキシング処理が行われる等価的な機能ブロック図である。
【図４】本発明にかかるディジタルミキサにおいて実行されるダイレクト出力設定イベント処理のフローチャートである。
【図５】本発明にかかるディジタルミキサにおいて実行される出力パッチ設定イベント処理のフローチャートである。
【図６】本発明にかかるディジタルミキサにおいて実行されるダイレクト出力オン／オフイベント処理のフローチャートである。
【図７】本発明にかかるディジタルミキサにおける出力パッチ設定の表示画面を示す図である。
【図８】本発明にかかるディジタルミキサにおけるダイレクト出力設定の表示画面を示す図である。
【符号の説明】
１  ディジタルミキサ、１０  ＣＰＵ、１１  フラッシュメモリ、１２  ＲＡＭ、１３  その他  Ｉ／Ｏ、１４  波形  Ｉ／Ｏ、１５  信号処理部、１６  表示器、１７  電動フェーダ、１７ａ  選択スイッチ、１７ｂ  ソロスイッチ、１７ｃ  チャンネルスイッチ、１８  操作子、２０  表示選択用スイッチ、２１  ルーティングスイッチ、２１ａ  バス設定スイッチ、２１ｂ  ダイレクト出力設定スイッチ、２２  カーソル移動キー、２３  ロータリエンコーダ、２４  エンターキー、２５  ＤＯＬスイッチ、２６  タブ選択スイッチ、４０  アナログ入力部、４１  ディジタル入力部、４２  内蔵エフェクタ、４３  入力パッチ、４４入力チャンネル部、４５  ＭＩＸバス、４６  ＡＵＸバス、４７  ＭＩＸ出力チャンネル部、４８  ＡＵＸ出力チャンネル部、４９  出力パッチ、５０  アナログ出力部、５１  ディジタル出力部、５３  モニタ用セレクタ、５４  モニタ用ミキサ、５５  モニタ用アナログ出力部
【図１】
2005072704.tif 000003
【図２】
2005072704.tif 000004
【図３】
2005072704.tif 000005
【図４】
2005072704.tif 000006
【図５】
2005072704.tif 000007
【図６】
2005072704.tif 000008
【図７】
2005072704.tif 000009
【図８】
2005072704.tif 000010